【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
撮像手段を備え、複数の画像をつなぎ合せたタイムラプス動画を取得するために、前記撮像手段を用いて取得した動画像を構成するフレームに対応する画像の中からタイムラプス動画の生成に用いる第１の画像を取得する第１のモードを設定できる撮像装置であって、
被写体を測光する測光手段と、
前記測光手段の測光結果に基づいて、前記撮像手段を用いて画像を取得する際の当該画像の露出に関する目標値を設定する目標値設定手段と、
前記目標値設定手段が設定した目標値に向けて露出を変更する際の、露出に関するフレームごとの制御値を演算する制御値演算手段と、
前記制御値演算手段が演算した制御値に基づいて、前記撮像手段を用いて画像を取得する際の明るさを制御する制御手段と、
を有し、
前記制御手段は、前記第１のモードが設定されている場合に、前記第１の画像を取得するまでの所定の期間において、第１の変更度合で露出を変更し前記所定の期間外においては、前記第１の変更度合とは異なる第２の変更度合で露出を変更し、
前記第１の変更度合は、同一量の明るさを変更する際に、前記第２の変更度合よりも、画像を取得する際の露出の変化が急であることを特徴とする撮像装置。
【請求項２】
前記所定の期間は、前記撮像手段を用いて画像を取得する際に、露出を所定量変更するのに必要な期間であることを特徴とする請求項１に記載の撮像装置。
【請求項３】
前記所定の期間は、前記撮像手段を用いて画像を取得する際に、所定の段数に対応した絞りの開口径を変更するのに必要な期間であることを特徴とする請求項２に記載の撮像装置。
【請求項４】
前記所定の期間は、前記撮像装置に接続されたレンズユニットから取得した、単位時間当たりの絞りの駆動時間に関する情報に基づいて設定されることを特徴とする請求項３に記載の撮像装置。
【請求項５】
前記第１のモードが設定されている場合に、次に前記第１の画像を取得するタイミングまでの時間が前記所定の期間よりも長いか否かを判定する判定手段を有し、
前記制御手段は、前記第１のモードが設定されている場合であって、前記判定手段が、次に前記第１の画像を取得するタイミングまでの時間が前記所定の期間よりも長いと判定した場合に、前記所定の期間においても前記第２の変更度合で露出を変更するように制御することを特徴とする請求項１乃至４の何れか一項に記載の撮像装置。
【請求項６】
前記制御手段は、前記第１のモードが設定されている場合であって、前記判定手段が、次に前記第１の画像を取得するタイミングまでの時間が前記所定の期間以下と判定した場合に、前記所定の期間において前記第１の変更度合で露出を変更し、前記所定の期間外において前記第２の変更度合で露出を変更するように制御することを特徴とする請求項５に記載の撮像装置。
【請求項７】
前記撮像装置は、前記撮像手段を用いて、前記第１の画像を取得せずに前記タイムラプス動画の生成に用いない第２の画像を連続して取得する第２のモードを設定でき、
前記制御手段は、前記第２のモードにおいて前記前記第２の変更度合で露出を変更するように制御し、
前記第１のモードで取得されるタイムラプス動画は、前記第２のモードで取得される複数の画像をつなぎ合わせた動画像よりも、再生時間が同一である場合に動画像を生成するのに必要な撮像時間が長いことを特徴とする請求項１乃至６の何れか一項に記載の撮像装置。
【請求項８】
前記制御値演算手段は、前記第１のモードが設定さている場合に、前記目標値設定手段が設定した目標値と同一の値となるように、前記所定の期間に対応する各フレームの制御値を演算し、前記目標値設定手段が設定した目標値に向けて前記所定数のフレームで段階的に変化するように、前記所定の期間外に対応する各フレームの制御値を演算することを特徴とする請求項１乃至７の何れか一項に記載の撮像装置。
【請求項９】
前記撮像手段を用いて取得した画像を表示手段に逐次表示させるように制御する表示制御手段を有し、
前記表示制御手段は、前記第１のモードにおいて、画像の逐次表示中に取得された前記第１の画像は、当該逐次表示に用いないように制御することを特徴する請求項１乃至８の何れか１項に記載の撮像装置。
【請求項１０】
前記所定の期間は、前記第１の画像を取得するのに必要な期間であることを特徴する請求項９に記載の撮像装置。
【請求項１１】
前記制御手段は、前記所定の期間内において、絞り以外の露出に関するパラメータを一時的に変更することを特徴する請求項１０に記載の撮像装置。
【請求項１２】
撮像手段を備え、前記撮像手段を用いて取得した第１の画像を逐次表示させるライブビューが可能な撮像装置であって、
被写体を測光する測光手段と、
前記測光手段による被写体の測光結果に基づいて露出を制御する露出制御手段と、
前記撮像手段を用いて、前記第１の画像とは異なるタイムラプス動画の生成に用いる第２の画像を間欠的に取得するように制御する撮像制御手段と、
表示部での表示を制御する表示制御手段と、
を有し、
前記表示制御手段は、前記ライブビュー中に前記第２の画像を取得する指示がされた場合に、前記第２の画像を取得するための所定の期間において、前記表示部に新たな前記第１の画像の表示は行わず、前記所定の期間が経過した後に、前記表示部に新たな前記第１の画像の表示を再開するように制御し、
前記露出制御手段は、前記所定の期間において第１の変更度合で露出を変更可能であって、前記所定の期間外では、前記第１の変更度合よりも露出の変化が緩やかな第２の変更度合で露出を変更可能であることを特徴とする撮像装置。
【請求項１３】
前記第１の変更度合は、前記ライブビューの１フレームに相当する期間において変更可能な露出の上限が、前記第２の変更度合よりも大きいことを特徴とする請求項１２に記載の撮像装置。
【請求項１４】
前記撮像制御手段は、前記ライブビュー中に前記第２の画像を取得する指示がされた場合に、前記所定の期間において、新たに前記第１の画像を取得しないように制御することを特徴とする請求項１２又は１３に記載の撮像装置。
【請求項１５】
前記撮像制御手段は、前記ライブビュー中に前記第２の画像を取得する指示がされた場合に、前記所定の期間において、直前に前記表示部に表示されていた前記第１の画像を継続して前記表示部に表示するように制御することを特徴とする請求項１２又は１３に記載の撮像装置。
【請求項１６】
前記撮像装置は、前記タイムラプス動画とは異なる種類の動画の生成に用いる画像を取得可能であって、
前記タイムラプス動画は、前記異なる種類の動画よりも、再生時間が同一である場合に動画像を生成するのに必要な撮像時間が長いことを特徴とする請求項１２乃至請求項１５の何れか１項に記載の撮像装置。
【請求項１７】
撮像手段を備え、複数の画像をつなぎ合せたタイムラプス動画を取得するために、前記撮像手段を用いて取得した動画像を構成するフレームに対応する画像の中からタイムラプス動画の生成に用いる第１の画像を取得する撮像装置の制御方法であって、
被写体の測光結果に基づいて、前記撮像手段を用いて画像を取得する際の当該画像の露出に関する目標値を設定する目標値設定工程と、
前記目標値設定工程で設定された目標値に向けて露出を変更する際の、露出に関するフレームごとの制御値を演算する制御値演算工程と、
前記制御値演算工程で演算された制御値に基づいて、前記撮像手段を用いて画像を取得する際の明るさを制御する制御工程と、を有し、
前記制御工程では、前記第１の画像を取得するまでの所定の期間において、第１の変更度合で露出を変更し、前記所定の期間外においては、前記第１の変更度合とは異なる第２の変更度合で露出を変更し、
前記第１の変更度合は、同一量の明るさを変更する際に、前記第２の変更度合よりも、画像を取得する際の露出の変化が急であることを特徴とする撮像装置の制御方法。
【請求項１８】
撮像手段を備え、前記撮像手段を用いて取得した第１の画像を逐次表示させるライブビューが可能な撮像装置の制御方法であって、
被写体の測光結果に基づいて露出を制御する露出制御工程と、
前記撮像手段を用いて、前記第１の画像とは異なるタイムラプス動画の生成に用いる第２の画像を間欠的に取得するように制御する撮像制御工程と、
表示部での表示を制御する表示制御工程と、
を有し、
前記表示制御工程では、前記ライブビュー中に前記第２の画像を取得する指示がされた場合に、前記第２の画像を取得するための所定の期間において、前記表示部に新たな前記第１の画像の表示は行わず、前記所定の期間が経過した後に、前記表示部に新たな前記第１の画像の表示を再開するように制御し、
前記露出制御工程では、前記所定の期間において第１の変更度合で露出を変更可能であって、前記所定の期間外では、前記第１の変更度合よりも露出の変化が緩やかな第２の変更度合で露出を変更可能であることを特徴とする撮像装置。
【請求項１９】
請求項１７または１８に記載の撮像装置の制御方法をコンピュータで実行させるためのコンピュータで読み取り可能なプログラム。
【手続補正２】
【補正対象書類名】明細書
【補正対象項目名】０００８
【補正方法】変更
【補正の内容】
【０００８】
上記目的を達成するための本発明の撮像装置は、撮像手段を備え、複数の画像をつなぎ合せたタイムラプス動画を取得するために、前記撮像手段を用いて取得した動画像を構成するフレームに対応する画像の中からタイムラプス動画の生成に用いる第１の画像を取得する第１のモードを設定できる撮像装置であって、被写体を測光する測光手段と、前記測光手段の測光結果に基づいて、前記撮像手段を用いて画像を取得する際の当該画像の露出に関する目標値を設定する目標値設定手段と、前記目標値設定手段が設定した目標値に向けて露出を変更する際の、露出に関するフレームごとの制御値を演算する制御値演算手段と、記制御値演算手段が演算した制御値に基づいて、前記撮像手段を用いて画像を取得する際の明るさを制御する制御手段と、を有し、前記制御手段は、前記第１のモードが設定されている場合に、前記第１の画像を取得するまでの所定の期間において、第１の変更度合で露出を変更し前記所定の期間外においては、前記第１の変更度合とは異なる第２の変更度合で露出を変更し、前記第１の変更度合は、同一量の明るさを変更する際に、前記第２の変更度合よりも、画像を取得する際の露出の変化が急であることを特徴とする。